(57)【要約】      （修正有）【課題】防水性及び断熱性に優れるとともに利便性にも優れた断熱防水箱を提供する。【解決手段】一定厚みｔを有する発泡合成樹脂板材２よりなる直方体形状に組み立てられる箱体であって、４つの壁板部１１，１２，１３，１４と、蓋板部２１，２２，２３，２４、３１，３３，３４からなり、蓋板部は、折曲時に先に折り曲げられて内側となる対向する内蓋部２１，２２，３１と、内蓋部２１，２２，３１の後に折り曲げられて内蓋部２１，２２，３１の上部に重ねられて外側となる対向する外蓋部２３，２４，３３，３４とからなり、内蓋部の蓋折曲部Ｆｉが外蓋部の蓋折曲部Ｆｏよりも発泡合成樹脂板材２の厚みｔ分だけ壁板部内側に形成されていることを特徴とする。【選択図】図６
0003162632.tif 000002
【実用新案登録請求の範囲】
【請求項１】
一定厚みｔを有する発泡合成樹脂板材よりなる直方体形状に組み立てられる箱体（１０）であって、前記箱体は、対向する辺の長さをａ，ｂ（ただし、ａ≦ｂ）としかつ高さをｃとする４つの壁板部（１１，１２，１３，１４）と、前記各壁板部の上下にそれぞれ延設された蓋板部（２１，２２，２３，２４、３１，３２，３３，３４）からなり、
前記箱体における前記壁板部の連接角部（４１，４２，４３，４４）は、前記発泡合成樹脂板材の圧縮によって形成されたＶ溝部による折曲部（Ｈ）と、前記発泡合成樹脂板材の端部が圧縮されて形成された薄板部が合接された接合部（Ｊ）とから構成され、
前記蓋板部は、前記壁板部との延設境界部が前記発泡合成樹脂板材の圧縮によって形成されたＶ溝部による蓋折曲部（Ｆ）で構成されているとともに、前記蓋板部のうち折曲時に先に折り曲げられて内側となる対向する内蓋部と、長さ幅が前記辺長さａの半分であり前記内蓋部の後に折り曲げられて該内蓋部の上部に重ねられて外側となる対向する外蓋部とからなり、前記内蓋部の前記蓋折曲部（Ｆｉ）が前記外蓋部の前記蓋折曲部（Ｆｏ）よりも発泡合成樹脂板材の厚みｔ分だけ壁板部内側に形成されている
ことを特徴とする断熱防水箱。
【請求項２】
前記接合部（Ｊ）の前記薄板部同士が粘着テープ、粘着剤、接着剤、熱溶着のいずれかによって接合されている請求項１に記載の断熱防水箱。
【請求項３】
前記薄板部が前記接合部を介して前記壁板部を折り返し可能とする折返部を有する請求項１又は２に記載の断熱防水箱。
【請求項４】
前記外蓋部が辺長さｂ側の蓋板部材である請求項１ないし３のいずれか１項に記載の断熱防水箱。
【請求項５】
前記外蓋部の対向する折曲げられた先端合接部が粘着テープによって互いに固定されかつ該外蓋部の側端縁部も粘着テープによって固定されている請求項４に記載の断熱防水箱。
【請求項６】
前記内蓋部の先端辺が前記箱体を展開させた状態で前記外蓋部の先端辺と同一線上に位置する請求項１ないし５のいずれか１項に記載の断熱防水箱。
【請求項７】
前記発泡合成樹脂板材の片面または両面にラミネートシートが貼着されている請求項１ないし６のいずれか１項に記載の断熱防水箱。
【請求項８】
前記箱体が他の包装箱の内側に配置される内箱である請求項１ないし７のいずれか１項に記載の断熱防水箱。
【考案の詳細な説明】
【技術分野】
【０００１】
本考案は、発泡合成樹脂板材よりなる直方体形状に組み立てられる断熱防水箱に関する。
【背景技術】
【０００２】
一般に、物品を簡易に包装し運搬する際には、直方体形状に組み立てられる段ボール箱が使用される。この段ボール箱は、折曲部を介して折曲げ可能に連接された４つの壁板部と、各壁板部の上下にそれぞれ延設された蓋板部からなり、４つの壁板部をそれぞれ折曲部を介して略９０度に折曲げるとともに、前記蓋板部のうち折曲時に先に折り曲げられて内側となる対向する内蓋部と、前記内蓋部の後に折り曲げられて該内蓋部の上部に重ねられて外側となる対向する外蓋部とをそれぞれ折曲げて組み立てられる。
【０００３】
このような段ボール箱にあっては、軽量でありながら比較的強度にも優れており、未使用時には折り畳むことができてかさばらず組み立ても簡単で利便性に優れている。しかしながら、段ボール箱は紙製であるため、水分に弱く断熱効果も乏しい。そのため、保冷が必要な生鮮食品や園芸用の苗木等の物品の包装には適していない。
【０００４】
そこで、従来では、これらの物品を包装する際には、予め所定形状に形成された発泡合成樹脂製の箱体が使用されていた。しかしながら、所定形状の発泡合成樹脂製箱体にあっては、段ボール箱のように折り畳むことができないため、未使用時にかさばって利便性に劣ることが問題であった。
【考案の概要】
【考案が解決しようとする課題】
【０００５】
本考案は前記の点に鑑みなされたものであり、防水性及び断熱性に優れるとともに利便性にも優れた断熱防水箱を提供するものである。
【課題を解決するための手段】
【０００６】
すなわち、請求項１の考案は、一定厚みｔを有する発泡合成樹脂板材よりなる直方体形状に組み立てられる箱体（１０）であって、前記箱体は、対向する辺の長さをａ，ｂ（ただし、ａ≦ｂ）としかつ高さをｃとする４つの壁板部（１１，１２，１３，１４）と、前記各壁板部の上下にそれぞれ延設された蓋板部（２１，２２，２３，２４、３１，３２，３３，３４）からなり、前記箱体における前記壁板部の連接角部（４１，４２，４３，４４）は、前記発泡合成樹脂板材の圧縮によって形成されたＶ溝部による折曲部（Ｈ）と、前記発泡合成樹脂板材の端部が圧縮されて形成された薄板部が合接された接合部（Ｊ）とから構成され、前記蓋板部は、前記壁板部との延設境界部が前記発泡合成樹脂板材の圧縮によって形成されたＶ溝部による蓋折曲部（Ｆ）で構成されているとともに、前記蓋板部のうち折曲時に先に折り曲げられて内側となる対向する内蓋部と、長さ幅が前記辺長さａの半分であり前記内蓋部の後に折り曲げられて該内蓋部の上部に重ねられて外側となる対向する外蓋部とからなり、前記内蓋部の前記蓋折曲部（Ｆｉ）が前記外蓋部の前記蓋折曲部（Ｆｏ）よりも発泡合成樹脂板材の厚みｔ分だけ壁板部内側に形成されていることを特徴とする断熱防水箱に係る。
【０００７】
請求項２の考案は、前記接合部（Ｊ）の前記薄板部同士が粘着テープ、粘着剤、接着剤、熱溶着のいずれかによって接合されている請求項１に記載の断熱防水箱に係る。
【０００８】
請求項３の考案は、前記薄板部が前記接合部を介して前記壁板部を折り返し可能とする折返部を有する請求項１又は２に記載の断熱防水箱に係る。
【０００９】
請求項４の考案は、前記外蓋部が辺長さｂ側の蓋板部材である請求項１ないし３のいずれか１項に記載の断熱防水箱に係る。
【００１０】
請求項５の考案は、前記外蓋部の対向する折曲げられた先端合接部が粘着テープによって互いに固定されかつ該外蓋部の側端縁部も粘着テープによって固定されている請求項４に記載の断熱防水箱に係る。
【００１１】
請求項６の考案は、前記内蓋部の先端辺が前記箱体を展開させた状態で前記外蓋部の先端辺と同一線上に位置する請求項１ないし５のいずれか１項に記載の断熱防水箱に係る。
【００１２】
請求項７の考案は、前記発泡合成樹脂板材の片面または両面にラミネートシートが貼着されている請求項１ないし６のいずれか１項に記載の断熱防水箱に係る。
【００１３】
請求項８の考案は、前記箱体が他の包装箱の内側に配置される内箱である請求項１ないし７のいずれか１項に記載の断熱防水箱に係る。
【考案の効果】
【００１４】
請求項１の考案に係る断熱防水箱は、一定厚みｔを有する発泡合成樹脂板材よりなる直方体形状に組み立てられる箱体（１０）であって、前記箱体は、対向する辺の長さをａ，ｂ（ただし、ａ≦ｂ）としかつ高さをｃとする４つの壁板部（１１，１２，１３，１４）と、前記各壁板部の上下にそれぞれ延設された蓋板部（２１，２２，２３，２４、３１，３２，３３，３４）からなり、前記箱体における前記壁板部の連接角部（４１，４２，４３，４４）は、前記発泡合成樹脂板材の圧縮によって形成されたＶ溝部による折曲部（Ｈ）と、前記発泡合成樹脂板材の端部が圧縮されて形成された薄板部が合接された接合部（Ｊ）とから構成され、前記蓋板部は、前記壁板部との延設境界部が前記発泡合成樹脂板材の圧縮によって形成されたＶ溝部による蓋折曲部（Ｆ）で構成されているとともに、前記蓋板部のうち折曲時に先に折り曲げられて内側となる対向する内蓋部と、長さ幅が前記辺長さａの半分であり前記内蓋部の後に折り曲げられて該内蓋部の上部に重ねられて外側となる対向する外蓋部とからなり、前記内蓋部の前記蓋折曲部（Ｆｉ）が前記外蓋部の前記蓋折曲部（Ｆｏ）よりも発泡合成樹脂板材の厚みｔ分だけ壁板部内側に形成されているため、軽量で防水性，断熱性，利便性に優れ、安価かつ容易に製造することができるとともに、隙間なく箱体を組み立てることができる。
【００１５】
請求項２の考案は、請求項１において、前記接合部（Ｊ）の前記薄板部同士が粘着テープ、粘着剤、接着剤、熱溶着のいずれかによって接合されているため、薄板部同士を容易に合接させることができる。
【００１６】
請求項３の考案は、請求項１又は２において、前記薄板部が前記接合部を介して前記壁板部を折り返し可能とする折返部を有するため、折返部を介して壁板部を折り返して畳むことが可能となり、未使用時の省スペース化を図ることができる。
【００１７】
請求項４の考案は、請求項１ないし３において、前記外蓋部が辺長さｂ側の蓋板部材であるため、発泡合成樹脂板材の展開時にかさばることを抑制することができる。
【００１８】
請求項５の考案は、請求項４において、前記外蓋部の対向する折曲げられた先端合接部が粘着テープによって互いに固定されかつ該外蓋部の側端縁部も粘着テープによって固定されているため、箱体の形状を容易に保持することができるとともに、より効果的に内蓋部と外蓋部との隙間を塞ぐことができる。
【００１９】
請求項６の考案は、請求項１ないし５において、前記内蓋部の先端辺が前記箱体を展開させた状態で前記外蓋部の先端辺と同一線上に位置するため、成形型を安価かつ簡易に製造することができるとともに、原材料の余剰部分の発生を抑制することができて経済的である。
【００２０】
請求項７の考案は、請求項１ないし６において、前記発泡合成樹脂板材の片面または両面にラミネートシートが貼着されているため、箱体に装飾性を持たせることが可能となるとともに、傷付き防止や強度を向上させることができる。
【００２１】
請求項８の考案は、請求項１ないし７において、前記箱体が他の包装箱の内側に配置される内箱であるため、他の包装箱の防水性，断熱性，強度を向上させることができる。
【図面の簡単な説明】
【００２２】
【図１】本考案の第１実施例に係る断熱防水箱の斜視図である。
【図２】図１の発泡合成樹脂板材の平面である。
【図３】図２のＡ−Ａ断面図である。
【図４】図２のＢ−Ｂ断面図である。
【図５】連接角部の概略断面図である。
【図６】図２の発泡合成樹脂板材の壁板部を折曲げた状態を表す斜視図である。
【図７】粘着テープで外蓋部が固定された箱体の斜視図である。
【図８】第２実施例に係る断熱防水箱の発泡合成樹脂板材の平面である。
【図９】図８の発泡合成樹脂板材の壁板部を折曲げた状態を表す斜視図である。
【図１０】接合部を介して壁板部を折り返した状態を表す要部断面図である。
【図１１】折返部を介して発泡合成樹脂板材を折り畳んだ状態を表す斜視図である。
【図１２】他の実施例の接合部の概略断面図である。
【考案を実施するための形態】
【００２３】
図１〜図４に示す本考案の第１実施例に係る断熱防水箱１は、一定厚みｔを有する発泡合成樹脂板材２よりなる直方体形状に組み立てられる箱体１０であって、４つの壁板部１１，１２，１３，１４と、蓋板部２１，２２，２３，２４、３１，３２，３３，３４からなる。この断熱防水箱１では、箱体１０を構成する発泡合成樹脂板材２が公知のプレス成形によって一体に形成される。また、発泡合成樹脂板材２としては、ポリスチレン等からなる公知の発泡合成樹脂が好適に用いられる。
【００２４】
壁板部１１，１２，１３，１４は、図１〜図３に示すように、対向する辺の長さをａ，ｂ（ただし、ａ≦ｂ）としかつ高さをｃとし、図５に示すように、連接角部４１，４２，４３，４４を介して略直角に折曲げ可能とされる。連接角部４１，４２，４３，４４は、発泡合成樹脂板材２の圧縮によって形成されたＶ溝部による折曲部Ｈ（図５（ａ））と、発泡合成樹脂板材２の端部が圧縮されて形成された薄板部Ｊ１，Ｊ２が合接された接合部Ｊ（図５（ｂ））とから構成される。実施例のＶ溝部による折曲部Ｈは、図３及び図５（ａ）に示すように、壁板部１１，１２，１３，１４の内面側（折曲げ方向側）に形成されている。また、薄板部Ｊ１，Ｊ２は、図３及び図５（ｂ）に示すように、壁板部１１，１２，１３，１４の外面側（折曲げ方向逆側）に形成されている。
【００２５】
上記壁板部１１，１２，１３，１４では、図２，３に示すように、発泡合成樹脂板材２の成形時には各薄板部Ｊ１，Ｊ２が互いに分離されており、図６に示すように、組み立て時等に互いに合接されて接合部Ｊとされる。その際、接合部Ｊの薄板部Ｊ１，Ｊ２同士が粘着テープ、粘着剤、接着剤、熱溶着のいずれかによって接合される。これにより、薄板部Ｊ１，Ｊ２同士を容易に合接させることができる。
【００２６】
蓋板部２１，２２，２３，２４、３１，３２，３３，３４は、図１，２，４に示すように、各壁板部１１，１２，１３，１４の上下にそれぞれ延設され、壁板部１１，１２，１３，１４との延設境界部２６，２７，２８，２９，３６，３７，３８，３９が発泡合成樹脂板材２の圧縮によって形成されたＶ溝部による蓋折曲部Ｆで構成されている。なお、図示しないが、Ｖ溝部による蓋折曲部Ｆは、前記Ｖ溝部による折曲部Ｈと同様に略直角に折曲げ可能とされる。
【００２７】
この蓋板部２１，２２，２３，２４、３１，３２，３３，３４は、折曲時に先に折り曲げられて内側となる対向する内蓋部２１，２２，３１，３２と、長さ幅が前記辺長さａの半分であり内蓋部２１，２２，３１，３２の後に折り曲げられて該内蓋部２１，２２，３１，３２の上部に重ねられて外側となる対向する外蓋部２３，２４，３３，３４とからなり、内蓋部２１，２２，３１，３２の蓋折曲部Ｆｉが外蓋部２３，２４，３３，３４の蓋折曲部Ｆｏよりも発泡合成樹脂板材２の厚みｔ分だけ壁板部内側に形成されている。また、外蓋部２３，２４，３３，３４は、長さ幅が長くなりすぎて発泡合成樹脂板材２の展開時にかさばることを抑制するために、前記辺長さａより長いまたは等しい辺長さｂ側の蓋板部材とされている。
【００２８】
本考案の断熱防水箱１では、図２に示すように、内蓋部２１，２２，２３，２４、３１，３２，３３，３４の先端辺が箱体１０を展開させた状態で外蓋部１１，１２，１３，１４の先端辺と同一線上に位置するような平面視略四辺形状とすることが好ましい。これにより、成形型を安価かつ簡易に製造することができるとともに、原材料の余剰部分の発生を抑制することができて経済的である。
【００２９】
また、この断熱防水箱１では、発泡合成樹脂板材２の片面または両面にラミネートシートを貼着してもよい。ラミネートシートとしては、ポリエチレン、ポリスチレン、ポリプロピレン等の公知の合成樹脂フィルムが好適に用いられる。このラミネートシートによれば、適宜の文字や模様、絵柄等を印刷することによって箱体１０に容易に装飾性を持たせることが可能となるとともに、箱体１０の傷付き防止や強度を向上させることができる。
【００３０】
次に、断熱防水箱１の組み立て手順について説明する。まず、展開状態の発泡合成樹脂板材２において、図６に示すように、各壁板部１１，１２，１３，１４が各折曲部Ｈを介してそれぞれ折曲げられ、壁板部１３側に形成された薄板部Ｊ１と壁板部１４側に形成された薄板部Ｊ２とが合接されて、各壁板部１１，１２，１３，１４をを環状に形成される。
【００３１】
続いて、壁板部１１，１３に延設された内蓋部２２，３２が蓋折曲部Ｆｉを介してそれぞれ折曲げられた後、壁板部１２，１４に延設された外蓋部２４，３４が蓋折曲部Ｆｏを介して折曲げられ内蓋部２２，３２上部に重ねられる。この時、内蓋部２２，３２の蓋折曲部Ｆｉが外蓋部２４，３４の蓋折曲部Ｆｏよりも発泡合成樹脂板材２の厚みｔ分だけ壁板部内側に形成されているため、外蓋部２４，３４を内蓋部２２，３２上部に重ねても外蓋部２４，３４を略面一とすることができ、重ね部分等に隙間が生じることを抑制することができる。そして、同様の手順で壁板部１１，１３に延設された内蓋部２１，３１及び壁板部１２，１４に延設された外蓋部２３，３３がそれぞれ折曲げられ、立方体形状に組み立てられる。
【００３２】
このようにして組み立てられた断熱防水箱１では、各外蓋部２３，２４，３３，３４をそれぞれ適宜の手法により合接することによって箱体１０の形状が保持される。特に、図７に示すように、外蓋部２３，３３（２４，３４）の対向する折曲げられた先端合接部３３Ａ，２３Ａ（３４Ａ，２４Ａ）が粘着テープＴによって互いに固定されかつ該外蓋部２３，３３（２４，３４）の側端縁部２３Ｂ，２３Ｃ，３３Ｂ，３３Ｃ（２４Ｂ，２４Ｃ，３４Ｂ，３４Ｃ）も粘着テープＴによって固定されることが好ましい。これにより、箱体１０の形状を容易に保持することができるとともに、箱体１０の隙間を塞ぐことができる。
【００３３】
次に、第２実施例に係る断熱防水箱は、図８，９に示すように、箱体１０の半体を構成する発泡合成樹脂板材２Ａを２つ合接して形成されるものであり、一の発泡合成樹脂板材２Ａが公知のプレス成形によって一体に形成される。なお、以下の説明において、第１実施例と同一の符号は同一の構成を表すものとして、その説明を省略する。
【００３４】
発泡合成樹脂板材２Ａは、図８に示すように、２つの壁板部１１，１４（１３，１２）と、各壁板部の上下にそれぞれ延設された蓋板部２１，２２，３３，３４（３１，３２，２３，２４）からなり、壁板部１１側端に薄板部Ｊ１、壁板部１４側端に薄板部Ｊ２がそれぞれ形成されている。そして、図９に示すように、一の発泡合成樹脂板材２Ａの各薄板部Ｊ１，Ｊ２と他の発泡合成樹脂板材２Ａの各薄板部Ｊ２，Ｊ１とを互いに合接させて接合部Ｊとして各壁板部１１，１２，１３，１４を環状に形成し、前記第１実施例の箱体１０と同様の手順で各壁板部１１，１２，１３，１４及び各蓋板部２１，２２，２３，２４，３１，３２，３３，３４を折曲げることにより、立方体形状に組み立てることができる。
【００３５】
また、発泡合成樹脂板材２Ａでは、図８，１０に示すように、薄板部Ｊ２が接合部Ｊを介して壁板部１１，１２（１３，１４）を折り返し可能とする折返部Ｊ３を有している。折返部Ｊ３は、折返し方向の面に形成された適宜の切り込みや溝等からなる。この折返部Ｊ３を有することにより、一の発泡合成樹脂板材２Ａの各薄板部Ｊ１，Ｊ２と他の発泡合成樹脂板材２Ａの各薄板部Ｊ２，Ｊ１とを互いに合接させて各壁板部１１，１２，１３，１４を環状に形成した際に、図１１に示すように、折返部Ｊ３を介して壁板部１１，１２及び壁板部１３，１４をそれぞれ折り返して畳むことが可能となり、未使用時の省スペース化を図ることができる。
【００３６】
以上図示し説明したように、本考案の断熱防水箱は、発泡合成樹脂板材よりなる直方体形状に組み立てられる箱体であるため、軽量で優れた防水性及び断熱性を備え、未使用時には解体してかさばらないとともに組み立てが容易で利便性にも優れる。また、壁板部のＶ溝部による折曲部及び薄板部、蓋板部のＶ溝部による蓋折曲部が、それぞれ発泡合成樹脂板材の圧縮によって形成されるものであるため、箱体を構成する発泡合成樹脂板材をプレス成形等によって一体に形成することができ、安価かつ簡易に製造することができる。さらに、内蓋部の蓋折曲部が外蓋部の蓋折曲部よりも発泡合成樹脂板材の厚み分だけ壁板部内側に形成されているため、箱体を隙間なく組み立てることができる。
【００３７】
なお、本考案の断熱防水箱は、前述の実施例のみに限定されるものではなく、考案の趣旨を逸脱しない範囲において構成の一部を適宜に変更して実施することができる。例えば、箱体が他の包装箱の内側に配置される内箱としてもよい。これにより、他の包装箱の防水性，断熱性，強度を向上させることができる。
【００３８】
また、実施例の接合部では、薄板部Ｊ１，Ｊ２をそれぞれ壁板部１１，１２，１３，１４の外面側（折曲げ方向逆側）に形成したが、図１２に示すように、一方の薄板部Ｊ２を内面側（折曲げ方向側）に形成して、薄板部Ｊ１，Ｊ２を互いに合接するようにしてもよい。その際、壁板部１１，１２，１３，１４と薄板部Ｊ２の境界部分に折返部Ｊ３を形成すれば、前期実施例と同様に箱体を折り畳むことができる。
【符号の説明】
【００３９】
１      断熱防水箱
２      発泡合成樹脂板材
１０    箱体
１１，１２，１３，１４    壁板部
２１，２２，３１，３２    内蓋部（蓋板部）
２３，２４，３３，３４    外蓋部（蓋板部）
４１，４２，４３，４４    連接角部
Ｆ      蓋折曲部
Ｈ      折曲部
Ｊ      接合部
Ｊ１，Ｊ２    薄板部
ｔ      発泡合成樹脂板材の厚み
【図１】
0003162632.tif 000003
【図２】
0003162632.tif 000004
【図３】
0003162632.tif 000005
【図４】
0003162632.tif 000006
【図５】
0003162632.tif 000007
【図６】
0003162632.tif 000008
【図７】
0003162632.tif 000009
【図８】
0003162632.tif 000010
【図９】
0003162632.tif 000011
【図１０】
0003162632.tif 000012
【図１１】
0003162632.tif 000013
【図１２】
0003162632.tif 000014